(57)【要約】      （修正有）【課題】電子放出素子等を用いた表示パネルにおいて熱的な不平衡に伴って生じる歪みや色ずれを軽減する。【解決手段】画像表示装置に、画像を表示する表示パネルと、表示パネルの歪み量にしたがって変化する静電容量や歪み等の物理量を検出し、検出量に応じて、表示パネルの歪み量が所定の歪み量以下となるように、表示パネルの階調等を駆動電圧や駆動パルス幅にて制御する制御部を備える。【選択図】図３
2006146176.tif 000002
【特許請求の範囲】
【請求項１】
画像を表示する表示パネルと、
前記表示パネルの歪み量にしたがって変化する物理量に応じて、前記表示パネルの歪み量が所定の歪み量以下となるように前記表示パネルの表示を制御する制御部と、
を有する画像表示装置
【請求項２】
前記表示パネルを保持する保持部材であって、前記表示パネルと間隙を介して対向して設けられた保持部材と、
前記表示パネルの前記保持部材と対向する側に設けられた第１の電極と、
前記第１の電極と対向して前記保持部材に設けられた第２の電極と、を有し、
前記第１の電極と前記第２の電極との間隔に対応する物理量から前記表示パネルの歪み量が検出されることを特徴とする請求項１に記載の画像表示装置。
【請求項３】
前記表示パネルを保護する保護板であって、前記表示パネルの表示側と間隙を介して対向して設けられた保護板と、
前記表示パネルの前記保護板と対向する側の不可視領域に設けられた第１の電極と、
前記第１の電極と対向して前記保護板に設けられた第２の電極と、を有し、
前記第１の電極と前記第２の電極との間隔に対応する物理量から前記表示パネルの歪み量が検出されることを特徴とする請求項１に記載の画像表示装置。
【請求項４】
前記表示パネルを保護する保護板であって、前記表示パネルの表示側と間隙を介して対向して設けられた保護板と、
前記表示パネルの前記保護板と対向する側の可視領域に設けられた第１の透明電極と、
前記第１の透明電極と対向して前記保護板に設けられた第２の透明電極と、を有し、
前記第１の透明電極と前記第２の透明電極との間隔に対応する物理量から前記表示パネルの歪み量が検出されることを特徴とする請求項１に記載の画像表示装置。
【請求項５】
前記物理量は静電容量であり、
前記歪み量は前記静電容量の変化から演算され、
前記制御部は、演算された歪み量に基づいて前記表示パネルの駆動電圧又は駆動パルス幅を段階的に変化させ、前記表示パネルの歪み量が所定の歪み量以下となるように前記表示パネルの表示を制御することを特徴とする請求項１乃至４のいずれかに記載の画像表示装置。
【請求項６】
前記歪み量を検出するための歪みゲージセンサを有することを特徴とする請求項１に記載の画像表示装置。
【請求項７】
前記歪みゲージセンサは、前記表示パネルの表示面側の不可視領域に設けられることを特徴とする請求項６に記載の画像表示装置。
【請求項８】
前記歪みゲージセンサは、前記表示パネルの背面側に設けられることを特徴とする請求項６に記載の画像表示装置。
【請求項９】
前記制御部は、前記歪みゲージセンサから得られた歪み量に基づいて前記表示パネルの駆動電圧又は駆動パルス幅を段階的に変化させ、前記表示パネルの歪み量が所定の歪み量以下となるように前記表示パネルの表示を制御することを特徴とする請求項６乃至８のいずれかに記載の画像表示装置。
【発明の詳細な説明】
【技術分野】
【０００１】
本発明は、画像表示装置に関する。
【背景技術】
【０００２】
近年、電子源より放出される電子ビームを蛍光体に照射して蛍光を発生させることで画像を表示する自発光型のフラットパネルディスプレイが注目されている。このようなディスプレイでは、電子を蛍光体に衝突させて蛍光を発光せしめること、電子放出素子に電流を流して電子を放出させること、及び平面的に複数個配列された電子放出素子を電気配線を介して順次駆動すること等、に起因して発熱が生じる。この発熱によりフェースプレート及びリアプレート間に温度差が生じ熱膨張の差により画面が歪んだり、色ずれが起きたりすることが懸念される。
【０００３】
特許文献１には、表示パネルと外装ケースの間の気体を流通させるための送風手段を備えた画像表示装置が開示されている。熱交換を活発化させるように高熱伝導性の部材を用いる構成も開示されている。
【特許文献１】特開平８−５５５６７号公報
【発明の開示】
【発明が解決しようとする課題】
【０００４】
本発明の目的は、歪みを軽減することが可能な画像表示装置を提供することにある。
【０００５】
また、本発明の他の目的は、歪み量に応じた画像表示制御が可能な画像表示装置を提供することにある。
【課題を解決するための手段】
【０００６】
上記目的を達成するために本発明に係る画像表示蔵置にあっては、
画像を表示する表示パネルと、
前記表示パネルの歪み量にしたがって変化する物理量に応じて、前記表示パネルの歪み量が所定の歪み量以下となるように前記表示パネルの表示を制御する制御部と、
を有することを特徴とする。
【発明の効果】
【０００７】
本発明の画像表示装置によれば、歪みを軽減することが可能となる。
【０００８】
また、本発明の画像表示装置は、歪み量に応じた画像表示制御が可能となる。
【発明を実施するための最良の形態】
【０００９】
以下に図面及び実施例を参照して、この発明を実施するための最良の形態を例示的に詳しく説明する。ただし、この実施例に記載されている構成部品の寸法、材質、形状、その相対配置などは、特に特定的な記載がない限りは、この発明の範囲をそれらのみに限定する趣旨のものではない。また、以下の説明で一度説明した部材についての材質、形状などは、特に改めて記載しない限り初めの説明と同様のものである。
【実施例１】
【００１０】
図１は実施例１に係る画像表示部の非表示時を示す断面図であり、電源が投入されていない状態のものである。図２は実施例１に係る画像表示部の高階調（高輝度）画像表示時を示す断面図であり、電源が投入され高階調の画像が入力されフェースプレートに高い電
力が投入された状態のものである。図３は実施例１に係る画像表示装置の回路ブロック図である。
【００１１】
本実施例に係る画像表示装置Ａは、画像表示部１００と、表示パネル１５０を駆動する制御部１２０１（図３参照）と、表示パネルの歪み量を検出する検出部１２０２（図３参照）と、を備えている。
【００１２】
画像表示部１００は、電子放出素子より放出される電子を蛍光体に照射して画像を表示する表示パネル１５０と、表示パネル１５０を保持する保持部材１０５と、表示パネル１５０を外部から保護するための前面保護板１０１と、筐体１０２と、を備える。
【００１３】
表示パネル１５０は、フェースプレート１０３、リアプレート１０４、枠部材１０８により真空容器を形成する。
【００１４】
フェースプレート１０３の内側（真空側）のガラス基板上には、三原色の蛍光体、メタルバック膜などが形成されている。枠部材１０８は真空容器を形成する枠であり、フェースプレート１０３及びリアプレート１０４と低融点ガラスで接着されている。また、リアプレート１０４には後述する方法で作製された電子放出素子が形成されている。
【００１５】
なお、本実施例に係る画像表示部は電子放出素子を用いたものであるが、本発明は、これに限るものではなく、ＥＬディスプレイ、プラズマディスプレイ、液晶ディスプレイ等にも適用することができる。
【００１６】
図４は実施例１に係る画像表示装置の表示パネルの斜視図である。
【００１７】
表示パネル１５０は、画像表示用の電気駆動信号（画像データに応じたパルス幅信号）を電子放出素子に伝達するためのＸフレキシブルケーブル１１０と、画像表示用の電気駆動信号（走査線選択信号）を電子放出素子に伝達するためのＹフレキシブルケーブル１１１とを備える。
【００１８】
Ｘフレキシブルケーブル１１０は、その一端が駆動回路とコネクタ接続されており、他端が異方性導電フィルムを介してリアプレート１０４と接続されている。また、Ｙフレキシブルケーブル１１１は、その一端が走査回路とコネクタ接続されており、他端がリアプレート１０４上に形成された回路パターンに異方性導電フィルムを介して接続されている。
【００１９】
画像表示部１００では、保持部材１０５は、表示パネル１５０と間隙を介して対向して設けられており、表示パネル１５０を筐体１０２に支持固定するために必要な剛性を有する材質で形成されている。また、表示パネル１５０の保持部材１０５と対向する側（リアプレート１０４）に第１の電極１０７が固定して設けられ、第１の電極１０７と対向して保持部材１０５に第２の電極１０６が固定して設けられている。
【００２０】
図３の画像表示装置Ａを示すブロック図では、電極１（１２０３）は、前述の第１の電極１０７に相当し、電極２（１２０４）は、前述の第２の電極１０６に相当する。
【００２１】
画像入力部１２００は表示すべき映像（画像）信号が入力される。検出部１２０２は電極１（１２０３）及び電極２（１２０４）との間隔に対応する静電容量から表示パネル１５０の歪み量を検出する。
【００２２】
なお表示パネルの歪みとは表示パネルの変形のことを意味する。また表示パネルの歪み
量とは表示パネルの変形の程度のことを意味する。歪み量は、変形の程度が互いに異なる状態において異なる値となる物理量を測定することで検出することができる。例えば表示パネルの代表点（測定位置）と変形を測定するための基準位置との距離や、該距離に対応する静電容量などがここでいう物理量に相当する。
【００２３】
制御部１２０１は入力された画像に対して輝度調整やコントラスト調整のための階調調整（階調補正）を行う、あるいは、検出部１２０２から得られた静電容量又は静電容量から演算された歪み量に基づいて、入力されたＲＧＢ各信号の駆動電圧又は駆動パルス幅を段階的に変化させて出力することができる。画像表示部１２０５は、フェースプレート１０３、リアプレート１０４、高圧電源及び駆動ドライバを有し、画像の明るさ（階調）に応じたパルス幅の波形を各Ｘドライバ側に出力し線順次でＹドライバを選択することにより画像を形成する。
【００２４】
次に、画像表示部の製造方法、基本構造及び動作原理について図５を参照しながら説明する。図５は、本実施例に係る表示パネルを模式的に示した断面図である。
【００２５】
はじめに、背面側のリアプレート１０４上の各画素位置に、電子放出のための＋電極と−電極を数十［μｍ］の間隔で対向するように導電性膜で形成する。次に、真空空隙外の電気実装回路からの電気信号を＋電極に導くためのＸ方向配線１８０を印刷法で形成後、後述のＹ方向配線１８１とＸ方向配線１８０を電気的に絶縁するための層間絶縁をＸ方向配線１８０上の、Ｙ方向配線１８１とＸ方向配線１８０の交差部に形成する。その後に、真空空隙外の電気実装回路からの電気信号を−電極に導くためのＹ方向配線１８１を印刷法で形成する。さらに、＋電極と−電極をつなぐ微粒子からなる導電性膜１８４を形成し、＋電極と−電極に電位を与えて電子放出部１８３を導電性膜１８４の一部に形成する。
【００２６】
一方、リアプレート１０４と対向するフェースプレート１０３の真空間隙側には、コントラストを向上するためのブラックストライプ膜、三原色ＲＧＢ各色相の蛍光体膜、さらにその上に導電性のメタルバック膜が形成されている。
【００２７】
次に、この電子放出素子の動作について説明する。電気実装回路によって選択されたＸ方向配線１８０とＹ方向配線１８１に十数［Ｖ］の電圧をかけることで電子放出素子から電子が放出される。そして、この放出電子が、フェースプレート１０３の真空間隙のメタルバック膜に外部高圧電源から供給された十数［ｋＶ］の＋電位により加速されて蛍光体膜に衝突し、蛍光体膜が発光する。
【００２８】
リアプレート１０４と電気実装回路とを接続しているＸフレキシブルケーブル１１０、Ｙフレキシブルケーブル１１１は、電気実装回路側はコネクタで電気的機械的に接続され、一方のリアプレート１０４側は、異方性導電膜によりこのリアプレート１０４上に印刷されたＸ方向配線１８０とＹ方向配線１８１の電極部（配線端部）に電気的機械的に接続されている。
【００２９】
フェースプレート１０３のメタルバック膜と高圧電源回路とを接続する高圧ケーブルは、高圧電源回路側は高圧用のコネクタで電気機械的に接続し、一方のフェースプレート１０３側は、リアプレート１０４に設けた貫通穴に配置した高圧端子を介してメタルバックに電気的機械的に接続されている。
【００３０】
ここで、画像表示装置Ａを駆動する際に発生する電力の一例として、画素数１０２４×７６８×３（ＲＧＢ）、Ｘ方向配線１８０に印加するデータ電圧５Ｖ、Ｙ方向配線１８１に印加する選択電圧−１５Ｖ、加速電圧１０ｋＶ、として１素子あたりの電力で説明する。
【００３１】
図６に電子源の電圧−電流カーブ特性を示す。図６に示すように、素子電圧が大きくなると指数的に素子電流及び放出電流が増大する。
【００３２】
図５において、例えば黒表示時（非発光時）のフェースプレート１０３及びリアプレート１０４で消費される電力は次のように求めることができる。Ｘ方向配線１８０に印加されるデータ電圧１８６はパルス幅変調を行っており出力は０Ｖのため消費電力は０Ｗである。また、Ｙ方向配線１８１に印加される選択電圧１８５による黒選択電流≒０．０２ｍＡである。したがって、リアプレート１０４に形成された電子放出素子１素子当たりの電力は、１５Ｖ×０．０２ｍＡ＝０．３ｍＷとなる。
【００３３】
フェースプレート１０３で発生する電力は、リアプレート１０４側から殆ど電子が放出されないため、１０ｋＶ×０ｍＡ＝０Ｗとなる。
【００３４】
また、白表示時（発光時）の場合は、Ｘ方向配線１８０に印加するデータ電圧５Ｖ、Ｙ方向配線１８１に印加する選択電圧１８５が−１５Ｖであり、その際に流れる電流が０．２５ｍＡである。したがって、リアプレート１０４に形成された電子放出素子１素子当たりの電力は２０Ｖ×０．２５ｍＡ＝５ｍＷとなる。
【００３５】
フェースプレート１０３で消費される電力は、１素子当たり約３μＡであり、フェースプレート１０３とリアプレート１０４との間に印加される加速電圧１８７が１０ｋＶなので、１０ｋＶ×３μＡ＝３０ｍＷとなる。
【００３６】
次に、表示パネル１５０の全領域に渡って必要な投入電力を求めると、全面黒表示のリアプレート１０４では１素子当たりの電力が０．３ｍＷなので、１ライン当たり０．３ｍＷ×１０２４×３＝９２１．６ｍＷとなる。リアプレート１０４での全面黒表示時の総電力は、ブランキング時間を２０％として０.９２１６×０.８＝０．７４Ｗとなる。
【００３７】
一方、リアプレート１０４での全面白表示時の総電力は、１素子当たり５ｍＷなので、１ライン当たり５ｍＷ×１０２４×３＝１５．３６Ｗとなる。
【００３８】
また、表示パネル１５０全体を考慮すると選択されたライン以外には、Ｘ方向配線１８０のデータ電圧１８６からの出力５Ｖと、Ｙ方向配線１８１の非選択電圧０Ｖが印加され、この場合の非選択電圧５Ｖによる電流は、１素子当たり０.３８μＡなので、１ライン当たり５Ｖ×０.３８μＡ×１０２４×３＝５．８４ｍＷの電力となる。
【００３９】
そのため、リアプレート１０４での前面白表示時の総電力は、ブランキング時間を２０％として（１５．３６Ｗ＋５．８４ｍＷ）×０.８＝１２．３Ｗとなる。
【００４０】
全面白表示の場合にフェースプレート１０３での電力は、１素子当たりの電力が３０ｍＷなので、１ライン当たり３０ｍＷ×１０２４×３＝９２．１６Ｗとなる。そのため、フェースプレート１０３での全面白表示時の総電力は、表示パネル１５０全体では、ブランキング時間を２０％として９２．１６Ｗ×０.８＝７３．７Ｗとなる。
【００４１】
これまで述べたように、全黒表示時（全黒駆動時）のリアプレートの電力は０．７４Ｗ、フェースプレートの電力は０Ｗであるので、両者の電力量は殆ど変わらず熱的な不平衡は発生しない。
【００４２】
しかし、全白表示時（全白駆動時）はリアプレート１０４での電力は１２．３Ｗ、フェースプレート１０３での電力は７３．７Ｗとその差が約６１．４Ｗとなる。したがって、
画像表示部１００では、フェースプレート１０３とリアプレート１０４との間に熱的不平衡が生じる。
【００４３】
フェースプレート１０３とリアプレート１０４は枠部材１０８により真空封止されているため、図２に示すように、表示パネル１５０は、発熱の大きいフェースプレート１０３側に凸状に歪みが起きる。
【００４４】
つまり、映像信号が全白の高階調な映像が入力された場合は、フェースプレート１０３での電力がリアプレート１０４での電力より大きくなる。そのため、図２に示すように、フェースプレート１０３及びリアプレート１０４ともに、保護板１０１側に凸状になる。その際、第２の電極１０６はパネルの保持部材１０５に固定され、第１の電極１０７はリアプレート１０４に固定されているため、電極同士のお互いの物理位置が広がることになる。電極間の静電容量は電極間距離に反比例するため、静電容量が低下する。
【００４５】
制御部１２０１は、第１の電極と第２の電極との間隔に対応するパラメータ（物理量）としての静電容量に応じて表示制御を行う。具体的には、本実施例に係る制御部１２０１は、歪み量（応力値）に応じた時系列データを保持しており、検出された静電容量から歪み量（応力値）を演算し、所定の歪み量（応力値）を越えた場合は、時系列的に各ＲＧＢ信号のパルス幅を減じて、画像表示部１２０５へ信号を伝送する。
【００４６】
ここで、検出部１２０２は、第１の電極１０７と第２の電極１０６との間隔に対応するパラメータとしての静電容量の変化から表示パネル１５０の歪み量を検出する。
【００４７】
そして、制御部１２０１は、演算された歪み量に基づいて表示パネル１５０の駆動電圧又は駆動パルス幅を段階的に変化させ、所定の歪み量以下となるように表示パネル１５０を制御する。以下、歪み量に基づいて表示パネルを制御する場合について説明するが、歪み量と応力値は共に一対一の関係を有するため、応力値に基づいた制御を行っても良い。
【００４８】
図７は本実施例に係る画像表示装置の入力信号対電力特性を示すグラフである。図７に示すように、入力信号の階調（明るさ）を低下させることによってフェースプレート１０３とリアプレート１０４の電力差は減少するため、それに伴いパネルの歪み量は時間の経過とともに減少する。検出部１２０２で得られた静電容量から演算した歪み量が所定の値以下になった場合は、減じたＲＧＢ信号を元のＲＧＢ信号に戻す。
【００４９】
また、電力差を減じるための階調制御値は、歪み量に応じて複数の値を有していると良い。制御部１２０１は、歪み量の度合いに応じ、階調を減じる幅（駆動パルス幅）又は階調レベル（駆動電圧）を制御する。例えば、算出される歪み量が所定の歪み量をわずかに超える場合は、減じる階調の数を少なくし、減じる幅を小さくするとよい。また、この制御の中にあってもさらに歪み量が大きくなる場合、減じる階調の数を多くし、減じる幅を大きく行うとよい。
【００５０】
一方、算出される歪み量が減少し、階調の数を減じる必要性が下がってきた時は、前記の逆の制御を行う。つまり、所定の歪み量を大きく下回る場合は、増加させる階調の数を多くし、元の階調に早く戻すとよい。また、所定の歪み量をわずかに下回る場合は、増加させる階調の数を少なくし、徐々に元の階調へ戻すとよい。
【００５１】
本実施例に係る上述のような制御により、視聴者に違和感を与えることなく画面の歪みや色ずれを軽減、防止することが出来る。
【００５２】
なお、上述の説明では、対向する電極を１組で説明したが、複数組設けて歪み量を検出
し制御を行ってもよい。このようにすれば、より精度良く歪みや色ずれを軽減、防止することができる。また、表示領域の全域に渡って歪み量を検出して制御しても良い。
【００５３】
本実施例では、複数の部材間の温度差（電力差）を減少させるために階調の制御を行ったが、駆動電圧や加速電圧を制御するようにして電力差を減じても良い。
【実施例２】
【００５４】
図８は実施例２に係る画像表示部を示す断面図である。
【００５５】
実施例２に係る画像表示部２００は、電子放出素子より放出される電子を蛍光体に照射して画像を表示する表示パネル２５０と、表示パネル２５０を外部から保護する前面保護板２０１と、筐体２０２と、を備える。前面保護板２０１は、表示パネル２５０の表示部側と間隙を介して対向して設けられている。
【００５６】
表示パネル２５０は、フェースプレート２０３、リアプレート２０４、枠部材２０８により真空容器を形成している。また、表示パネル２５０は、表示パネル２５０の前面保護板２０１と対向する側の可視領域に設けられた第１の透明電極２０６と、第１の透明電極２０６と対向して前面保護板２０１に設けられた第２の透明電極２０７とを有する。ここで、可視領域とは、視聴者が画像表示装置の正面から見たとき実際に画像が表示される領域をいう。
【００５７】
本実施例では、実施例１と同じように、低階調（低輝度）の画像ではフェースプレート２０３とリアプレート２０４における電力差は大きくないが、高階調（高輝度）では電力差が大きくなるため表示パネル２５０全体が前面保護板２０１側に凸状になり、表示パネル２５０に歪みが生じる。
【００５８】
前面保護板２０１は筐体２０２に保持されているため、第１の透明電極２０６と第２の透明電極２０７は間隔が狭まり静電容量が増大する。
【００５９】
制御部１２０１は、静電容量に基づいて算出された歪み量に応じた時系列データを保持しており、検出された静電容量から歪み量を算出し、所定の歪み量を越えた場合は、時系列的に各ＲＧＢ信号のパルス幅を減じて、画像表示部２０５へ信号を伝送する。
【００６０】
ここで、検出部１２０２は、第１の透明電極２０６と第２の透明電極２０７との間隔に対応するパラメータとしての静電容量の変化から表示パネル２５０の歪み量を検出する。
【００６１】
そして、制御部１２０１は、演算された歪み量に基づいて表示パネル２５０の駆動電圧又は駆動パルス幅を段階的に変化させ、所定の歪み量以下となるように表示パネル２５０を制御する。
【００６２】
たとえば、制御部１２０１は、検出部１２０２から得られた歪み量が所定の値以下になった場合は、減じたＲＧＢ信号を元のＲＧＢ信号に戻す。
【００６３】
本実施例に係る上述のような制御により、視聴者に違和感を与えることなく画面の歪みや色ずれを軽減、防止することが出来る。また、表示パネルの可視領域に透明電極を配置することで、表示パネルの不可視領域に電極を配置する場合と比較して画像表示部を小型化することができる。
【００６４】
なお、上述の説明では、対向する電極を１組で説明したが、複数組設けて歪み量を検出し制御を行ってもよい。このようにすれば、より精度良く歪みや色ずれを軽減、防止する
ことができる。また、表示領域の全域に渡って歪み量を検出して制御しても良い。
【００６５】
本実施例では、可視領域に透明電極を用いる場合について説明を行ったが、透明でない電極を用いる場合は表示部周囲の不可視領域に電極を対向させて配置させ、表示パネルの中央部を支持する方法を用いても良い。
【００６６】
例えば、表示パネル２５０の保護板２０１と対向する側の不可視領域に設けられた第１の電極と、第１の電極と対向して前記保護板に設けられた第２の電極と、を有し、前記検出部は、前記第１の電極と前記第２の電極との間隔に対応するパラメータから前記表示パネルの歪み量を検出する画像表示装置にも好適に採用することができる。
【実施例３】
【００６７】
図９は実施例３に係る画像表示部を示す断面図である。
【００６８】
実施例３に係る画像表示部３００は、電子放出素子より放出される電子を蛍光体に照射して画像を表示する表示パネル３５０と、表示パネル３５０を外部から保護するための前面保護板３０１と、筐体３０２と、を備える。
【００６９】
表示パネル３５０は、フェースプレート３０３、リアプレート３０４、枠部材３０８により真空容器を形成している。また、本実施例では、歪みゲージセンサ３０６を表示パネルの背面側であるリアプレート３０４に取り付けている。
【００７０】
本実施例では、実施例１、２と同様に、低階調（低輝度）の画像ではフェースプレート３０３とリアプレート３０４の電力差は大きくないが、高階調（高輝度）では電力差が大きくなり表示パネル３５０全体が前面保護板３０１側に凸状になり、表示パネル３５０に歪みが生じる。
【００７１】
制御部１２０１は、歪みゲージセンサ３０６により検出された歪み量に応じた時系列データを保持しており、歪みゲージセンサ３０６から得られた歪み量に基づいて駆動電圧又は駆動パルス幅を段階的に変化させ、所定の歪み量以下となるように表示パネル３５０を制御する。
【００７２】
具体的には、検出された歪み量が所定の歪み量を越えた場合は、時系列的に各ＲＧＢ信号のパルス幅を減じて、画像表示部１２０５へ信号を伝送する。また、歪みゲージセンサ３０６から得られた歪み量が所定の値以下になった場合は、減じたＲＧＢ信号のパルス幅をもとのＲＧＢ信号に戻す。
【００７３】
本実施例に係る上述のような制御により、視聴者に違和感を与えることなく画面の歪みや色ずれを軽減、防止することが出来る。
【００７４】
なお、上述の説明では、歪み検出器が１個の場合について説明したが、複数個設けて歪み量を検出し制御を行ってもよい。このようにすれば、より精度良く歪みや色ずれを軽減、防止することができる。また、表示パネル３５０の表示面側の不可視領域に歪みゲージセンサを取り付けて、歪み量を検出する方法でも良い。
【００７５】
なお以上述べた各実施形態では、静電容量を検出する検出回路や、歪みゲージセンサを、歪み量を検出する回路として用いる構成を示した。このような構成以外に、表示パネルの所定位置と基準位置との間隔が所定の間隔よりも大きくなった場合に、接点がオンもしくはオフする機械接点を設けておく構成なども採用できる。この構成においてはこの機械接点を含む回路が、歪み量に応じて変化する物理量である接点間の間隔を検出する検出回
路となる。該接点の状態（オンもしくはオフ）によって消費電力を制御できるように表示制御を行うことで表示パネルの変形を抑制することができる。なお本願発明において表示を制御するためのベースとなる物理量（表示パネルの所定位置と基準位置との間隔や、静電容量や、歪みゲージセンサで測定される値など）は、歪み量にしたがって変化する物理量である。ここで、歪み量に従って変化する物理量は、歪み量の変化に完全に追従して変化する物理量に限るものではない。例えば、徐々に変化するひずみ量に対して不連続に変化する物理量を採用することもできる。
【００７６】
ただし、温度という物理量は、歪みが温度差によって発生するものであることから、歪み量にしたがって変化する物理量ではない。
【００７７】
本願発明では、歪みを発生させる原因（温度）を測定して、表示を制御する構成ではなく、歪みの程度によって変化する物理量に応じて表示を制御することで、歪み量をより的確に制限することが可能となっている。
【図面の簡単な説明】
【００７８】
【図１】本発明の実施例１に係る画像表示装置の非表示時を示す断面図である。
【図２】本発明の実施例１に係る画像表示装置の高階調表示時を示す断面図である。
【図３】本発明の実施例１に係る画像表示装置の回路ブロック図である。
【図４】本発明の実施例１に係る画像表示装置の表示部の斜視図である。
【図５】本発明の実施例１に係る表示パネルを模式的に示した断面図である。
【図６】本発明の実施例１に係る電子放出部の電圧−電流カーブ特性を示すグラフで    ある。
【図７】本発明の実施例１に係る画像表示装置の階調信号対電力特性を示すグラフで    ある。
【図８】本発明の実施例２に係る画像表示装置の断面図である。
【図９】本発明の実施例３に係る画像表示装置の断面図である。
【符号の説明】
【００７９】
１００、２００、３００  画像表示部
１０１、２０１、３０１  全面保護板
１０２、２０２、３０２  筐体
１０３、２０３、３０３  フェースプレート
１０４、２０４、３０４  リアプレート
１０５、２０５、３０５  保持部材
１０６  第２の電極
１０７  第１の電極
１０８、２０８、３０８  枠部材
１５０、２５０、３５０  表示パネル
２０６  第１の透明電極
２０７  第２の透明電極
３０６  歪みゲージセンサ
１２００  画像入力部
１２０１  制御部
１２０２  検出部
１２０５  画像表示部
Ａ  画像表示装置
【図１】
2006146176.tif 000003
【図２】
2006146176.tif 000004
【図３】
2006146176.tif 000005
【図４】
2006146176.tif 000006
【図５】
2006146176.tif 000007
【図６】
2006146176.tif 000008
【図７】
2006146176.tif 000009
【図８】
2006146176.tif 000010
【図９】
2006146176.tif 000011